(57)【要約】【課題】  ヘッドホン装置において、ケーブルが衣類や靴等に触れたり、擦れることによって生じる振動によって、外部の騒音やノイズを正確にキャンセルすることができなくなることを防止することができるヘッドホン装置を提供する。【解決手段】  ハウジングと、ハウジングの前端に固着するフランジと、内部にリード線を備え一端に入力端子を備えるケーブルと、周囲の騒音及びノイズを集音し騒音ノイズ信号を出力するマイクロフォンと、リード線に電気的に接続し入力端子が入力したオーディオ信号を入力すると共にマイクロフォンから入力された信号の位相を反転する信号処理部と、信号処理部から出力されたオーディオ信号及びマイクロフォンから入力された騒音ノイズ信号の位相を反転した信号を放音する振動板を有するドライバーユニットとを備え、マイクロフォンは、弾性を有する弾性体によって前記ハウジングの内部に固着されている。【選択図】      図２
2011211458.tif 000002
【特許請求の範囲】
【請求項１】
ケーブルを介して入力端子に入力されたオーディオ信号を出力するヘッドホン装置において、
内部が空洞で前方が開口したハウジングと、
前記ハウジングの前端に固着するフランジと、
内部にリード線を備え、一端に入力端子を備えるケーブルと、
周囲の騒音及びノイズを集音し騒音ノイズ信号を出力するマイクロフォンと、
前記ケーブルの前記入力端子の他端から突出した前記リード線に電気的に接続し前記入力端子が入力したオーディオ信号を入力すると共に前記マイクロフォンから入力された騒音ノイズ信号の位相を反転する信号処理部と、
前記フランジに固着し前記信号処理部と電気的に接続し前記信号処理部から出力されたオーディオ信号及び前記マイクロフォンから入力された騒音ノイズ信号の位相を反転した信号を放音する振動板を有するドライバーユニットとを備え、
前記マイクロフォンは、弾性を有する弾性体によって前記ハウジングの内部に固着されていることを特徴とするヘッドホン装置。
【請求項２】
請求項１記載のヘッドホン装置において、
前記弾性体は、前記マイクロフォンを固着する後方の中央部分が内周から外周に亘って傾斜した傾斜部を備えることを特徴とするヘッドホン装置。
【請求項３】
請求項１または２記載のヘッドホン装置において、
前記弾性体はシリコンゴム部材から成ることを特徴とするヘッドホン装置。
【発明の詳細な説明】
【技術分野】
【０００１】
本発明は、ケーブルを介して再生装置と接続し、再生装置から出力されたオーディオ信号を出力するヘッドホン装置に関する。
【背景技術】
【０００２】
従来のヘッドホン装置として、ケーブルを介して再生装置と電気的に接続し、再生装置から出力されたオーディオ信号を出力するヘッドホン装置が知られている。
【０００３】
また、近年では、外部の騒音やノイズをマイクロフォンによって集音し、この集音した騒音信号の位相を反転してオーディオ信号と共に出力することによって外部の騒音やノイズをキャンセルするヘッドホンが知られている（例えば、特許文献１参照）。
【０００４】
通常のヘッドホン装置の場合は、使用者がヘッドホン装置を装着してオーディオ信号を聴取しようとする場合、外部で騒音やノイズが発生していると、その騒音やノイズがヘッドホン内部に伝達してしまい、オーディオ信号と共に外部のノイズや騒音が使用者の耳に伝達してしまうため、聴取するオーディオ信号の音質が劣化してしまう。しかしながら、前述したような外部の騒音をキャンセルするヘッドホン装置によれば、ヘッドホン装置内部に固定されたマイクロフォンによって外部の騒音やノイズの信号を集音し、集音した騒音やノイズの信号の位相を反転させた信号をオーディオ信号と共に出力することにより、外部の騒音やノイズの信号が当該位相反転した信号によって打ち消されるため、使用者は、外部の騒音やノイズが排除された良好な音質でオーディオ信号を聴取することができる。
【０００５】
【特許文献１】特開２００９−２７８１６６号公報
【発明の開示】
【発明が解決しようとする課題】
【０００６】
前述したような外部の騒音やノイズをキャンセルするヘッドホン装置を聴取する使用形態としては、例えば、洋服のポケット等に再生装置を入れた状態で、再生装置からオーディオ信号を再生させ、ケーブルを介して再生装置が再生したオーディオ信号をヘッドホン装置によって聴取することがある。このように、ヘッドホン装置の使用者が、洋服のポケット等に再生装置を入れ、ヘッドホン装置を耳に装着した状態で、ヘッドホン装置から出力されるオーディオ信号を聴取している場合、ケーブルが衣類や靴等に接触したり、また、擦れたりすることがある。ケーブルが衣類や靴等に接触したり擦れたりすると、ケーブルに振動が発生し、この振動がヘッドホン装置の内部の集音用のマイクロフォンにも伝達してしまう。このように、ケーブルが衣類や靴等に接触したり擦れたりしたことによって生じた振動がマイクロフォンに伝達してしまうと、外部の騒音やノイズと共に伝達された振動が混同してマイクロフォンに入力され、外部の騒音やノイズに対して正確に位相を反転させた信号を出力することができなくなってしまい、外部の騒音やノイズをキャンセルする効果が悪化してしまったり、使用者の聴取するオーディオ信号の音質を外部の騒音やノイズの影響よりも更に悪化させてしまう虞がある。
【０００７】
本発明は、ケーブルを介して再生装置と電気的に接続し、再生装置から出力されたオーディオ信号を出力するヘッドホン装置において、ケーブルが衣類や靴等に触れたり、擦れることによって生じる振動によって、外部の騒音やノイズを正確にキャンセルすることができなくなることを防止することができるヘッドホン装置を提供することを目的とする。
【課題を解決するための手段】
【０００８】
本願の請求項１記載の発明は、ケーブルを介して入力端子に入力されたオーディオ信号を出力するヘッドホン装置において、内部が空洞で前方が開口したハウジングと、前記ハウジングの前端に固着するフランジと、内部にリード線を備え、一端に入力端子を備えるケーブルと、周囲の騒音及びノイズを集音し騒音ノイズ信号を出力するマイクロフォンと、前記ケーブルの前記入力端子の他端から突出した前記リード線に電気的に接続し前記入力端子が入力したオーディオ信号を入力すると共に前記マイクロフォンから入力された騒音ノイズ信号の位相を反転する信号処理部と、前記フランジに固着し前記信号処理部と電気的に接続し前記信号処理部から出力されたオーディオ信号及び前記マイクロフォンから入力された騒音ノイズ信号の位相を反転した信号を放音する振動板を有するドライバーユニットとを備え、前記マイクロフォンは、弾性を有する弾性体によって前記ハウジングの内部に固着されていることを特徴とする。
【０００９】
本願の請求項２記載の発明は、請求項１記載のヘッドホン装置において、前記弾性体は、前記マイクロフォンを固着する後方の中央部分が内周から外周に亘って傾斜した傾斜部を備えることを特徴とする。
【００１０】
本願の請求項３記載の発明は、請求項１または２記載のヘッドホン装置において、前記弾性体はシリコンゴム部材から成ることを特徴とする。
【発明の効果】
【００１１】
本発明によれば、ケーブルを介して再生装置と電気的に接続し、再生装置から出力されたオーディオ信号を出力するヘッドホン装置において、ケーブルが衣類や靴等に触れたり、擦れることによって生じる振動によって、外部の騒音やノイズを正確にキャンセルすることができなくなることを防止することができるヘッドホン装置を提供することができる。
【図面の簡単な説明】
【００１２】
【図１】本発明の一実施例のヘッドホン装置を示す概略構成図。
【図２】本実施例のヘッドホン装置１を示す断面図。
【図３】本実施例のヘッドホン装置１を示す断面図。
【発明を実施するための最良の形態】
【００１３】
本発明の実施の形態を図面を参照して説明する。なお、従来技術で示した構成要素と同一の部分については同符号を用いる。
【００１４】
図１は、本発明の一実施例のヘッドホン装置を示す概略構成図である。
ヘッドホン装置１は、それぞれ２つのハウジング２及びヘッドパッド４を備え、それぞれのハウジング２は、ケーブル６によって入力端子８に接続される。ケーブル６は、内部に後述するリード線を備える。入力端子８は、再生装置１０の出力端子１１に接続される。再生装置１０は、オーディオ信号を再生し、再生したオーディオ信号を出力端子１１から出力する。
【００１５】
図２は、本実施例のヘッドホン装置１を示す断面図である。
ヘッドホン装置１は、前述したハウジング２、ヘッドパッド４及びケーブル６の他に、フランジ３、基板５、ドライバーユニット７、マイクロフォン９、円筒部１２、ボス１３弾性体１４及び信号処理部１５を備える。
図２に示すヘッドホン装置１においては、左方向をヘッドホン装置１の前方とし、上方向をヘッドホン装置１の上方とする。
【００１６】
図２に示すように、ハウジング２は、内部が空洞で前方が開口した半球型を形成し、後方に前後に貫通する孔２０１を備え、当該孔２０１の周囲に前後に貫通する複数の孔２０２を備える。フランジ３は、中央部が後方に窪んだ円盤型を形成し略中央に前後に貫通する孔３０１を備える。フランジ３は、後面の外周部分が接着剤等によりハウジング２の前端に固着される。
【００１７】
ヘッドパッド４は、軟性の高いゴム部材等の弾性体により円筒型に形成され、裏面がフランジ３の前方の外周部分に接着剤等により固着される。
【００１８】
ドライバーユニット７は、前方に図示しない振動板を備え、前面がハウジング２の後面の孔２０１の外周部分に接着剤等により固着される。このときドライバーユニット７は、ハウジング２の孔２０１から前方に露呈した状態となる。基板５は、板状を形成し、ドライバーユニット７の後方に配設される。基板５は、ハウジング２の後面に図示しないネジ等によって固定されたボス１３に、図示しないネジ等によって固定され、このことにより、ハウジング２に固定された状態となる。ドライバーユニット７は、リード線７０１によって基板５に電気的に接続される。信号処理部１５は、基板５の後面に半田付け等により固定され、基板５と電気的に接続される。
【００１９】
ケーブル６は、一端がハウジング２の孔２０１を介してハウジング２の内部に挿入され、このハウジング２の内部で結び目６０１を形成する。ケーブル６は、この結び目６０１によってハウジング２の内部から下方に脱落しないように成されている。ハウジング２の内部で結び目６０１が形成されたケーブル６の一端からは、リード線６０２が突出した状態となる。リード線６０２は、基板５に電気的に接続される。
【００２０】
円筒部１２は、後方に凹部１２１を備え、後方の外周部分に内周から外周に亘って前方に傾斜した傾斜部１２２を備える。弾性体１４は、シリコンゴム部材から成り、凹部１２１の内部に接着剤等により固着される。弾性体１４は、後方の外周部分に内周から外周に亘って前方に傾斜した傾斜部１２２を備える。円筒部１２の傾斜部１２２と弾性体１４の傾斜部１４１は、略同一面を形成するように配設される。
【００２１】
マイクロフォン９は、弾性体１４の後方の略中央部分に接着剤等により固着される。マイクロフォン９は、後方部分に集音部９０２を備え、この集音部９０２は弾性体１４から後方に突出するよう配設される。マイクロフォン９は、前方部分に備えるリード線９０１によって弾性体１４及び円筒部１２を介して基板５に電気的に接続される。
【００２２】
図１及び図２に示すように、ヘッドホン装置１は、再生装置１０の出力端子１１から出力されるオーディオ信号を入力端子８によって入力する。入力端子８から入力されたオーディオ信号は、ケーブル６を介して基板５に入力される。マイクロフォン９は、集音部９０２によって、ハウジング２の孔２０２から入力されるハウジング２の周囲の騒音やノイズを集音し、集音した音波を騒音ノイズ信号に変換する。マイクロフォン９により変換された信号は、リード線９０１及び基板５を介して信号処理部１５に入力される。
【００２３】
信号処理部１５は、リード線６０２及び基板５を介して入力された再生装置１０からのオーディオ信号をドライバーユニット７に出力する。また、信号処理部１５は、マイクロフォン９からリード線９０１及び基板５を介して入力された騒音ノイズ信号を入力し、入力した騒音ノイズ信号の位相を反転した後、この位相を反転した騒音ノイズ信号をドライバーユニット７に出力する。ドライバーユニット７は、リード線７０１及び基板５を介して信号処理部１５から出力されたオーディオ信号及び位相が反転された騒音ノイズ信号を放音する。
【００２４】
ヘッドホン装置１の使用者は、ヘッドパッド４を耳に装着し、例えば、洋服のポケット等に再生装置１０を入れた状態で、再生装置１０からオーディオ信号を再生させる。このことにより、再生装置が再生したオーディオ信号が入力端子８、ケーブル６、信号処理部１５及び基板５を介してドライバーユニット７によって放音され、この放音されたオーディオ信号がフランジ３及びヘッドパッド４の内部に伝達する。これにより、ヘッドパッド４を装着した使用者の耳にオーディオ信号が伝達し、使用者は、ヘッドホン装置１から出力されるオーディオ信号を聴取する。このとき、マイクロフォン９によってハウジング２の周囲の騒音やノイズを集音し騒音ノイズ信号として信号処理部１５に入力され、この入力された騒音ノイズ信号の位相を反転させた信号をオーディオ信号と共にドライバーユニット７から放音することにより、外部の騒音やノイズの信号が騒音ノイズ信号の位相を反転した信号によって打ち消されるため、使用者は、外部の騒音やノイズが排除された良好な音質でオーディオ信号を聴取することができる。
【００２５】
図３は、本実施例のヘッドホン装置１を示す断面図である。
図３に示すヘッドホン装置１においては、左方向をヘッドホン装置１の前方とし、上方向をヘッドホン装置１の上方とする。
【００２６】
前述したように、ヘッドホン装置１の使用者が、例えば、洋服のポケット等に再生装置を入れ、ヘッドホン装置１を耳に装着した状態で、ヘッドホン装置１から出力されるオーディオ信号を聴取している場合、ケーブル６が衣類や靴等に接触したり、また、擦れたりすると、ケーブル６に振動が発生する。ケーブル６に生じた振動は、ハウジング２に伝達し、このハウジング２に伝達した振動がボス１３を介して基板５にも伝達する。この基板５に伝達した振動は、マイクロフォン９を保持した円筒部１２にも伝達するが、マイクロフォン９と円筒部１２の間には弾性体１４が介在しているため、この弾性体１４の弾性力により、円筒部１２に伝達した振動を減衰させ、ケーブル６に生じた振動がマイクロフォン９に伝達するのを防止する。
【００２７】
このように、本実施例のヘッドホン装置１は、ヘッドホン装置１の使用者が、例えば、洋服のポケット等に再生装置を入れ、ヘッドホン装置１のヘッドパッド４を耳に装着した状態でヘッドホン装置１から出力されるオーディオ信号を聴取し、更に、マイクロフォン９によって集音した騒音ノイズ信号の位相を反転した信号によって外部の騒音やノイズが排除された良好な音質でオーディオ信号を聴取している場合、ケーブル６が衣類や靴等に接触したり、また、擦れたりしてケーブル６に振動が発生し、この振動がマイクロフォンに入力されてしまい、周囲の騒音やノイズの信号に対して正確に位相を反転した信号を出力させることができず、外部の騒音やノイズをキャンセルする効果が悪化したり、使用者の聴取するオーディオ信号の音質を外部の騒音やノイズの影響よりも更に悪化させてしまうことを防止することができる。
【００２８】
また、本実施例のヘッドホン装置１は、図２に示すように、マイクロフォン９を保持する弾性体１４の後方部分が内周から外周に亘って前方に傾斜し、また、弾性体１４を保持する円筒部１２の後方部分が内周から外周に亘って前方に傾斜していることから、円筒部１２及び弾性体１４に伝達したケーブル６からの振動が空間を介してマイクロフォン９の集音部９０２に伝達してしまうことを防止する。このことにより、ケーブル６に大きな振動が発生したり、また、ハウジング２に大きな振動が生じた場合でも、この振動が円筒部１２や弾性体１４を介してマイクロフォン９の集音部９０２に入力されてしまうことを防止することができるので、周囲の騒音やノイズの信号に対して正確に位相を反転した信号を出力させることができず、外部の騒音やノイズをキャンセルする効果が悪化してしまったり、使用者の聴取するオーディオ信号の音質を外部の騒音やノイズの影響よりも更に悪化させてしまうことを一層防止することができる。
【００２９】
本実施例のヘッドホン装置１は、マイクロフォン９が弾性体１４を介して固着された円筒部１２を基板５に固着する構成としたが、円筒部１２を固着する位置としてはハウジング２の内部であって、外部の騒音やノイズを集音できる位置であれば、ハウジング又はフランジに固着する構成として良い。これにより、外部の騒音やノイズを集音できる位置を任意に設定することができる。
【００３０】
本実施例のヘッドホン装置１は、ハウジング２の内部に基板５を備える構成としたが、ケーブル６から入力される再生装置１０からのオーディオ信号、マイクロフォン９から入力される騒音ノイズ信号を信号処理部１５に直接入力し、この信号処理部１５からオーディオ信号及び位相を反転した騒音ノイズ信号をドライバーユニット７に出力できる場合は、基板５を備えない構成としても良い。この場合、信号処理部１５は、ハウジング２又はフランジ３によって固定する構成とする。このことにより、基板５の清算コストを削減でき、ヘッドホン装置１の製造コストを低減することができる。
【００３１】
また、本実施例のヘッドホン装置１は、マイクロフォン９がドライバーユニット７よりも後方となる位置に配設し、周囲の騒音やノイズのみを集音する構成としたが、ドライバーユニット７の前方やフランジ３及びヘッドパッド４の内部となる位置に配設しても良い。この場合、マイクロフォン９には外部からの騒音やノイズのみでなく、ドライバーユニット７から出力されるオーディオ信号も集音することとなるが、予めドライバーユニット７から出力するオーディオ信号の出力を増大させておき、マイクロフォンが集音し位相が反転されてオーディオ信号が出力されても打ち消されないオーディオ信号を放音できる構成とする。このことによって、使用者が聴取する耳の位置に近接した位置でマイクロフォンが騒音やノイズを正確に集音し、この騒音やノイズを一層除去することができる。
【産業上の利用可能性】
【００３２】
本発明は、ケーブルを介して再生装置と接続し、再生装置から出力されたオーディオ信号を出力するヘッドホン装置に有用に用いることができる。
【符号の説明】
【００３３】
１  ヘッドホン装置、２  ハウジング、２０１  孔、２０２  孔、
３  フランジ、３０１  孔、４  ヘッドパッド、５  基板、
６  ケーブル、６０１  結び目、６０２  リード線、
７  ドライバーユニット、７０１  リード線、８  入力端子、
９  マイクロフォン、９０１  リード線、９０２  集音部、１０  再生装置、
１１  出力端子、１２  円筒部、１２１  凹部、１２２  傾斜部、１３  ボス、
１４  弾性体、１４１  傾斜部、１５  信号処理部
【図１】
2011211458.tif 000003
【図２】
2011211458.tif 000004
【図３】
2011211458.tif 000005